(57)【要約】【課題】伸度特性の小さい生地をベースとした衣服であっても、見た目の違和感は抑えながら、上肢の運動による衣服の突っ張りを効果的に軽減し、運動機能性、着用快適性に優れた衣服を提供する。【解決手段】身頃および袖を有する衣服であって、袖の上腕部の少なくとも一部に、身頃を構成する生地よりも伸張率の大きい生地を配置していることを特徴とする衣服。ここで伸張率は、衣服の横方向を引張方向とし、つかみ幅２．５４ｃｍ（１インチ）で、５Ｎの引張荷重まで引き伸ばしたときのものである。【選択図】  図５
2004218121.tif 000002
【特許請求の範囲】
【請求項１】
身頃および袖を有する衣服であって、袖の上腕部の少なくとも一部に、身頃を構成する生地よりも伸張率の大きい生地を配置していることを特徴とする衣服。
ここで伸張率は、衣服の横方向を引張方向とし、つかみ幅２．５４ｃｍ（１インチ）で、５Ｎの引張荷重まで引き伸ばしたときのものである。
【請求項２】
袖を構成する生地の、袖丈線の中央点を通る袖丈線との直交線よりも袖付け線側の少なくとも一部に、身頃を構成する生地よりも伸張率の大きい生地を配置していることを特徴とする請求項１に記載の衣服。
【請求項３】
袖を構成する生地の、袖丈線を３等分する点の袖付け線側の点と脇下点とを結ぶ直線よりも袖付け側に、身頃を構成する生地よりも伸縮性の大きい生地を配置していることを特徴とする請求項１または２に記載の衣服。
【請求項４】
袖の上腕部の少なくとも一部に配置され身頃を構成する生地よりも伸張率の大きい生地の伸張率が２０％以上であることを特徴とする請求項１〜３のいずれか記載の衣服。
【発明の詳細な説明】
【０００１】
【発明の属する技術分野】
本発明は、衣服、より詳しくは身頃および袖を有する衣服に関するものである。
【０００２】
【従来の技術】
従来、袖を有する衣服は、人体が静立した状態での見た目の美しさや着心地をベースに設計されることが通常であった。そのため、当該衣服を着用後に、人体を大きく動かした場合、衣服の形状が身体形状の変化に追従できずに部分的に突っ張り、圧迫感や違和感を感じることが常であった。特に、袖付け部分の周辺は、上肢の前挙運動や側挙運動にともない、衣服に著しい突っ張りが生じ、極めて大きな圧迫感や違和感を感じるものであった。
【０００３】
こうした問題を解決するため、例えば、後身頃、又は、後身頃と袖の後面側、若しくは、脇見頃と袖の後面側を伸縮性素材で構成した衣服が開示されている（特許文献１参照）。また、同様の考え方で、袖付け周辺の身頃生地に伸縮性素材またはプリーツ加工により伸縮性を付与した素材を配置することにより、衣服の運動機能性を向上させた衣服が開示されている（特許文献２〜６参照）。
【０００４】
あるいは、上肢を予め大きく動かした状態で型紙を設計し、部分的にゆとりをもたせた型紙形状とすることで衣服の運動機能性を向上させた衣服が開示されている（例えば特許文献７、特許文献８参照）。
【０００５】
しかし、特許文献１〜６に開示の衣服では、衣服の中で最も目立つ身頃生地の一部またはその全体に、伸縮性を有する生地を配置しているため、一見して特別な仕様の衣服とわかり、見た目に違和感のある衣服であった。また、見た目の違和感に配慮すると、伸縮性を有する生地の範囲が小さくなるため、十分な運動機能性を得ることができなかった。
【０００６】
また、特許文献７，８に開示の衣服では、上肢を予め大きく動かした状態で型紙を設計しているため、静立した状態では、袖付け周辺の生地がだぶついて余り、見た目も着心地も悪くなるものであった。
【０００７】
【特許文献１】
実用新案登録第３０７９９６４号公報
【０００８】
【特許文献２】
特開平９−３１０２１３号公報
【０００９】
【特許文献３】
特開２００１−１６４４０１号公報
【００１０】
【特許文献４】
実開平７−９９２７号公報
【００１１】
【特許文献５】
実用新案登録第３０５２４８５号公報
【００１２】
【特許文献６】
実用新案登録第３０７３９７８号公報
【００１３】
【特許文献７】
特開２００２−３８３２２号公報
【００１４】
【特許文献８】
実開昭６０−５２９１８号公報
【００１５】
【発明が解決しようとする課題】
本発明の目的は、上記の従来技術の問題点を解決することにあり、伸度特性の小さい生地をベースとした衣服であっても、見た目の違和感は抑えながら、運動機能性を向上させた衣服を提供することにある。
【００１６】
【課題を解決するための手段】
上記の課題を解決するための本発明は、身頃および袖を有する衣服であって、袖の上腕部の少なくとも一部に、身頃を構成する生地よりも伸張率の大きい生地を配置していることを特徴とする衣服である。
【００１７】
ここで伸張率は、衣服の横方向を引張方向とし、つかみ幅２．５４ｃｍ（１インチ）で、５Ｎの引張荷重まで引き伸ばしたときのものである。
【００１８】
【発明の実施の形態】
以下、図面を参照しながら本発明をさらに詳しく説明する。
【００１９】
本発明は、例えば図４に示すような、身頃３および袖１からなる衣服であって、袖の上腕部の少なくとも一部に、身頃を構成する生地よりも伸縮性の大きい生地（以下、「上腕部伸縮性生地」とも呼ぶ。）を配置していることが重要である。そうすることにより、身頃を構成する生地と同じ生地で袖を構成した一般的な衣服と比べ、上肢運動に伴う衣服の突っ張りを伸縮性を有する生地が吸収し、圧迫感や違和感の少ない衣服を得ることができる。また、身頃側に伸縮性を有する生地を配置することで運動機能性を付与した従来の衣服に比べて、同様の運動機能性向上の効果を得ながら、見た目の違和感が少ない衣服を得ることができる。
【００２０】
ここで伸張率は、衣服の横方向を引張方向とし、つかみ幅２．５４ｃｍ（１インチ）で、初期つかみ間隔Ｌ０＝７．６ｃｍ（３インチ）から引張速度１０ｃｍ／分で５Ｎの引張荷重まで引き伸ばしたときのつかみ間隔Ｌから、次式により定められる。
伸張率＝［（Ｌ−Ｌ０）／Ｌ０］×１００
この値により、上肢の運動にともなう衣服（生地）の突っ張りの状態を近似的に表すことができる。
【００２１】
また、試料の大きさの都合等により初期つかみ間隔Ｌ０が７．６ｃｍ（３インチ）に満たない場合には、引張速度を取りうる初期つかみ間隔に比例変更して測定する。例えば、初期つかみ間隔が３．８ｃｍのときは引張速度は５ｃｍ／分とする。
【００２２】
衣服の横方向とは、身頃においては、図４に示すように、衣服の中央線Ｃに直交する方向Ｈ１を言う。一方、袖においては、図２に示すように、袖丈線６に直交する方向Ｈ２を言う。かかる方向について規定することにより、図６に示すような上肢の前挙運動にともなう突っ張りの方向と生地の伸張の方向とが一致し、突っ張りの吸収の効果を妥当に評価することができる。
【００２３】
上腕部とは、上肢のうち、肩（図１においては袖付け線２側）から肘にかけてを覆う部分を言う。
【００２４】
通常、袖部分は１枚の生地で構成されることが多いため、袖を構成する生地１の全体を上腕部伸縮性生地で構成することにより、見た目の違和感が少ない衣服を得ることができる。また縫製工程を簡略化することもできる。
【００２５】
一方、上腕部の一部に上腕部伸縮性生地を採用する場合には、上腕部は通常の長袖においては、袖を構成する生地１の袖付け線２側の約半分に相当するため、当該部分、すなわち例えば図２および図６に示すように、袖を構成する生地５の、袖丈線６の中央点を通る袖丈線との直交線７よりも袖付け線２側の部分に、身頃を構成する生地よりも伸縮性の大きい生地８を配置することが好ましい。そうすることにより、袖を構成する生地の全体を上腕部伸縮性生地で構成しなくても、本発明の効果を効率的に得ることができる。
【００２６】
袖丈線６とは、袖を構成する生地を、袖下線９を揃えて二つに折った時に折り目となる中央線のことであり、袖付け線２と接する点から袖先までの長さを有するものである。
【００２７】
また更に、本発明の衣服において上腕部の一部に上腕部伸縮性生地を採用する場合には、例えば図３に示すように、袖を構成する生地１０の、袖丈線６を３等分する点の袖付け線側の点１１と脇下点１２とを結ぶ線１３よりも袖付け側に、身頃を構成する生地よりも伸縮性の大きい生地８を配置していることがより好ましい。当該部分に衣服の突っ張り１４が最も大きくかかるため、このような構成とすることにより、袖を構成する生地の全体を上腕部伸縮性生地で構成しなくても、本発明の効果をより効率的に得ることができる。
【００２８】
袖丈線６を３等分する点の袖付け線側の点１１と脇下点１２とを結ぶ線１３は、図３に示すように袖を構成する生地の展開状態における直線であるが、上腕部伸縮性生地の配置形状としては袖先側にやや膨らんだ曲線１６とすると、見た目の違和感を少なくすることができるのでより好ましい。
【００２９】
身頃を構成する生地よりも伸縮性の大きい生地としては、織物、編物、不織布などの布帛状のものであれば良いが、見た目の違和感を少なくするために、身頃を構成する生地の色、柄、組織等と似た生地を使用すると良い。
【００３０】
また更に、本発明の衣服は、身頃を構成する生地よりも伸縮性の大きい生地８の伸張率が２０％以上であることが好ましい。より好ましくは３０％以上である。生地の伸度が２０％以上であれば、生地のヨコ方向の伸度がほとんどない生地を身頃生地とした衣服であっても、上肢の運動による突っ張りの軽減の効果を得ることができ、生地の伸度が３０％以上であれば、衣服の胸まわりのゆとりがほとんどないような状態であったとしても、上肢の運動による突っ張りが、大きな問題のない程度まで軽減することができる。
【００３１】
【実施例】
（測定・評価方法）
（１）伸張率
測定対象の生地について、長さ１５ｃｍ、幅１０ｃｍの試験片を採取し、次いで、自記記録装置付き定速伸長形引張試験機を用い、上下つかみとも表側治具は２．５４ｃｍ×２．５４ｃｍ（１インチ×１インチ）、裏側治具は２．５４ｃｍ×５．０８ｃｍ（１インチ×２インチ）のものを使用し、すなわちつかみ幅は２．５４ｃｍ（１インチ）で、試験片の長さ方向を引張方向とし、初期つかみ間隔Ｌ０が７．６ｃｍ（３インチ）となるように試験片を固定した。次いで、引張速度１０ｃｍ／分で５Ｎの引張加重まで引き伸ばしたときのつかみ間隔Ｌから、次式により伸張率を求めた。
伸張率＝［（Ｌ−Ｌ０）／Ｌ０］×１００
これをｎ＝３にて行い和平均値を求めた。
【００３２】
（２）衣服圧
被験者として、身長１７２．０ｃｍ、胸囲８８．０ｃｍ、肩幅４３．０ｃｍ、体重６０．０ｋｇの男性に、各実施例・比較例のシャツを着せ、その後ろ側の脇下点の衣服圧を、株式会社エイエムアイ・テクノ製の接触圧測定機（ＡＭＩ３０３７シリーズ）を用いて測定した。測定に必要なエアバッグは、同測定機が指定のもののうち、直径１５ｍｍのものを使用した。また、衣服圧を測定する際の動作としては、静立の状態から、両上肢の前挙（角度９０゜）までの運動を１分間に１２回行なったときのピーク値の平均値を衣服圧とした。
【００３３】
（３）着用感（圧迫感）
上記（２）の衣服圧の測定時における着用感を、着用者の圧迫感の感じ方として次の基準に従って評価した。
◎：感じない。
○：殆ど感じない。
△：やや感じる。
×：感じる。
【００３４】
（４）見た目（違和感）
上記（２）の衣服圧の測定時における着用状態の見た目を、本発明の内容を知らないアパレルメーカーの当業者が見た違和感の感じ方として次の基準に従って評価した。
◎：感じない。
○：殆ど感じない。
△：やや感じる。
×：感じる。
【００３５】
（素材Ａ）
素材Ａとして、倉敷紡績（株）製ブロード生地＃ＫＴ４０００（ポリエチレンテレフタレート６５％、コットン３５％）を準備した。この素材の緯方向の伸張率は、１．２％であった。
【００３６】
（素材Ｂ）
素材Ｂとして、東レ（株）製ニット生地＃Ｓ２７３３３（ポリエチレンテレフタレート５０％、コットン５０％）を準備した。この素材の経方向の伸張率は、２１．０％、緯方向の伸張率は３２．５％であった。
【００３７】
〔実施例１〕
通常の型のドレスシャツで図３に示す様な構成の袖を有するものについて、素材Ｂを、その経方向（伸張率２１．０％）が衣服の横方向と一致するように図３における上腕部伸縮性生地８として配置・採用した。また、素材Ａを、その緯方向が衣服の横方向と一致するように袖のその他の部分の生地と身頃全体の生地として配置・採用した。
それ以外は、通常のシャツと同じ方法で構成した。
【００３８】
〔実施例２〕
素材Ｂを、その緯方向（伸張率３２．５％）が衣服の横方向と一致するように図３における上腕部伸縮性生地８として配置・採用したこと以外は、実施例１と同様にして構成した。
【００３９】
〔比較例１〕
通常の型のドレスシャツで図７に示すような構成の身頃を有するものについて、素材Ｂを、その緯方向（伸張率３２．５％）が衣服の横方向と一致するように、身頃を構成する生地の袖付け部分の全周囲にわたり、幅５ｃｍの帯状に配置した。また、素材Ａを、その緯方向が衣服の横方向と一致するように身頃のその他の部分の生地と袖全体の生地として採用した。それら以外は、実施例１と同様にして構成した。
【００４０】
〔比較例２〕
素材Ａを、その緯方向が衣服の横方向と一致するように身頃全体の生地と袖全体の生地に採用した。それ以外は、実施例１と同様にして構成した。
【００４１】
実施例１，２および比較例１，２の結果を表１にまとめる。
【００４２】
【表１】
2004218121.tif 000003
【００４３】
表１に示すように、本発明の実施例１および２は、従来の技術（比較例）と比べて脇下点の衣服圧が低く、また着用感（圧迫感）においても優れた評価を得た。
【００４４】
【発明の効果】
本発明の衣服により、伸度特性の小さい生地をベースとした衣服であっても、見た目の違和感は抑えながら、上肢の運動による衣服の突っ張りを軽減し、運動機能性、着用快適性を向上させた衣服を得ることができる。
【図面の簡単な説明】
【図１】衣服の袖を構成する生地の展開図である。
【図２】本発明の衣服における袖を構成する生地の一例の展開図である。
【図３】本発明の衣服における袖を構成する生地の一例の展開図である。
【図４】衣服の一例の概略図（前面）である。
【図５】本発明の衣服の一例の概略図（前面）である。
【図６】本発明の衣服の一例の概略図（後面）である。
【図７】比較例１の衣服の概略図（前面）である。
【符号の説明】
１、５、１０：袖を構成する生地
２：袖付け線
３：身頃
６：袖丈線
７：袖丈線の中央点と直交する線
８：上腕部伸縮性生地
９：袖下線
１１：袖丈線を３等分する点のうち、袖付け線側の点
１２：脇下点
１３：点１１と点１２とを結ぶ線
１４、１５：上肢の運動による突っ張りの方向
Ｈ１、Ｈ２：衣服の横方向
【図１】
2004218121.tif 000004
【図２】
2004218121.tif 000005
【図３】
2004218121.tif 000006
【図４】
2004218121.tif 000007
【図５】
2004218121.tif 000008
【図６】
2004218121.tif 000009
【図７】
2004218121.tif 000010